(57)【特許請求の範囲】
【請求項１】
カテーテルとカテーテルを固定するカテーテルベースを備え、カテーテルの内腔にガイドピンがあって、当該ガイドピンがガイドピンベースに固定され、カテーテルの端部には柔軟かつ生物適合性に該当する非金属材質或いは吸収可能材質で作った密封或いは通気の材料袋があって、
前記カテーテルの外にアウターチューブがカバーされ、当該アウターチューブがアウターチューブベースに固定され、アウターチューブベースがカテーテルベースと着脱可能に接続して、前記アウターチューブの開口端に円錐形のアウターチューブ縮径錐台があって小直径アウターチューブを接続し、
前記カテーテルがアウターチューブ縮径錐台に対応するカテーテル縮径錐台を有し、カテーテル縮径錐台には小直径カテーテルが接続され、
前記材料袋が開口端からカテーテルにカバーされて、アウターチューブとカテーテルの間に位置してアウターチューブよりカテーテルの外壁にしっかり締められることを特徴とする脊椎用充填器。
【請求項２】
前記小直径カテーテルの長さは、1-40ミリメートルであることを特徴とする請求項１に記載の充填器。
【請求項３】
前記小直径アウターチューブの長さは、0-10ミリメートルであることを特徴とする請求項１或いは２に記載の充填器。
【請求項４】
カテーテルとカテーテルを固定するカテーテルベースを備え、カテーテルの内腔にガイドピンがあって、当該ガイドピンがガイドピンベースに固定され、カテーテルの端部には柔軟かつ生物適合性に該当する非金属材質或いは吸収可能材質で作った密封或いは通気の材料袋があって、
前記カテーテルの外にアウターチューブがカバーされ、当該アウターチューブがアウターチューブベースに固定され、アウターチューブベースがカテーテルベースと着脱可能に接続して、前記アウターチューブの開口端にアウターチューブの内凸型プレートがあって、
前記カテーテルがアウターチューブの内凸型プレートに対応するカテーテル縮径錐台があって、カテーテル縮径錐台には小直径カテーテルが接続され、
前記材料袋が開口端からカテーテルにカバーされて、アウターチューブとカテーテルの間に位置してアウターチューブよりカテーテルの外壁にしっかり締められることを特徴とする脊椎粉砕骨折用充填器。
【請求項５】
前記小直径カテーテルの長さは、1-40ミリメートルであることを特徴とする請求項４に記載の充填器。
【請求項６】
前記アウターチューブの内凸型プレートの長さは、0.5〜10ミリメートルであることを特徴とする請求項４或いは５に記載の充填器。
【請求項７】
前記材料袋の長さは、10-50ミリメートルであることを特徴とする請求項１或いは４に記載の充填器。
【請求項８】
前記材料袋は、単層であることを特徴とする請求項１或いは４に記載の充填器。
【請求項９】
前記材料袋は、材料袋の外壁に保護層があることを特徴とする請求項１或いは４に記載の充填器。
【請求項１０】
前記アウターチューブは、ねじ回しよりカテーテルと着脱可能に接続する請求項１或いは４に記載の充填器。
【発明の詳細な説明】
【発明の詳細な説明】
【０００１】
〔技術分野〕
本発明は、手術用医療器械に関し、特に、粉砕骨折に適する脊椎用充填器に関する。
【０００２】
〔背景技術〕
従来技術では、本出願者より国家知的所有権局特許管理局で出願されたＣＮ No.200820173700.0の特許が公知され、当該特許には圧縮性骨折手術のための拡張、充填器が開示されて、このような充填器がカテーテルとカテーテルを固定するカテーテルベースを備え、カテーテル内腔にガイドピンがあって、当該ガイドピンがガイドピンベースに固定され、カテーテルの端部に材料袋があって、前記材料袋とカテーテルが材料袋のジョイントを介してカテーテルに接続されるが、ジョイントが一般的にねじ回しよりカテーテルに接続され、このような接続が手術後で材料袋とカテーテルを分離させるようにカテーテルを回転しなければならなくて、このように手術の難度を増加させて、その他、ジョイントを人体内に残す必要があって、これが従来技術に存在する不足である。
【０００３】
〔発明の概要〕
〔発明が解決しようとする課題〕
本発明は、従来技術に存在する不足について、2つの脊椎用充填器の技術案を提供して、当該技術案に係る材料袋がアウターチューブよりカテーテルの外壁にカバーされて、このように手術後でカテーテルとアウターチューブを取り出すだけで完成することができて、手術に便利を与えて、人体内にも無用な異物を残す必要がないことを目的とする。
【０００４】
〔課題を解決するための手段〕
本発明は、以下のような技術措置より実現される。
【０００５】
本発明の第一方面に係る脊椎用充填器は、カテーテルとカテーテルを固定するカテーテルベースを備え、カテーテル内腔にガイドピンがあって、当該ガイドピンがガイドピンベースに固定され、カテーテルの端部には柔軟かつ生物適合性に該当する非金属材質或いは吸収可能材質で作った密封或いは通気の材料袋があって、前記カテーテルの外にアウターチューブがカバーされ、当該アウターチューブがアウターチューブベースに固定され、アウターチューブベースがカテーテルベースと着脱可能に接続して、前記アウターチューブの開口端に円錐形のアウターチューブ縮径錐台があって小直径アウターチューブを接続し、前記カテーテルがアウターチューブ縮径錐台にそれに対応するカテーテル縮径錐台を有し、カテーテル縮径錐台には小直径カテーテルが接続され、前記材料袋が開口端からカテーテルにカバーされて、アウターチューブとカテーテルの間に位置してアウターチューブよりカテーテルの外壁にしっかり締められ、また、具体的には、前記小直径カテーテルの長さが1-40ミリメートルであって、前記小直径アウターチューブの長さが0-10ミリメートルであって、前記材料袋の長さが10-50ミリメートルであって、前記材料袋が単層であって、前記材料袋がその外壁に材料袋保護層を有し、前記アウターチューブベースがねじ回しよりカテーテルベースと着脱可能に接続する、ことを特徴とする。
【０００６】
本発明の第二方面に係る脊椎用充填器は、カテーテルとカテーテルを固定するカテーテルベースを備え、カテーテル内腔にガイドピンがあって、当該ガイドピンがガイドピンベースに固定され、カテーテルの端部に柔軟で生物適合性に該当する非金属材質或いは吸収可能材質で作った密封或いは通気の材料袋があって、前記カテーテルの外にアウターチューブがカバーされ、当該アウターチューブがアウターチューブベースに固定され、アウターチューブベースがカテーテルベースと着脱可能に接続し、前記アウターチューブの開口端にアウターチューブの内凸型プレートがあって、前記カテーテルがアウターチューブの内凸型プレートにそれに対応するカテーテル縮径錐台があって、カテーテル縮径錐台には小直径カテーテルが接続され、前記材料袋が開口端からカテーテルにカバーされて、アウターチューブとカテーテルの間に位置してアウターチューブよりカテーテルの外壁にしっかり締められ、また、具体的には、前記小直径カテーテルの長さが1-40ミリメートルであって、前記アウターチューブの内凸型プレートの長さが0.5〜10ミリメートルであって、前記材料袋の長さが10-50ミリメートルであって、前記材料袋が単層であって、また、前記材料袋がその外壁に材料袋保護層を有し、前記アウターチューブベースがねじ回しよりカテーテルベースと着脱可能に接続する、ことを特徴とする。
【０００７】
2つの技術案の有益効果は、上記の2つの技術案に対する説明から分かることができて、この2つの構成で、前記材料袋がいずれもアウターチューブよりカテーテルの外壁にカバーされるため、手術時にカテーテルより材料袋へ骨用セメントなどの骨材料を注入して、患部である脊椎をサポートすることができる。手術が完成されたあと、カテーテルとアウターチューブを共に抽出するだけで手術を完成させることができて、手術の操作に便利を与えるとともに、人体に無用な異物を残す必要がない。2つの技術の異なるものが材料袋を制限して自由に滑ることができない構成だけである。第一技術案によれば、アウターチューブの開口端に円錐形のアウターチューブ縮径錐台があって小直径アウターチューブを接続するが、カテーテルがアウターチューブ縮径錐台にそれに対応するカテーテル縮径錐台があって、カテーテル縮径錐台には小直径カテーテルが接続される。第二技術案によれば、アウターチューブの開口端にアウターチューブの内凸型プレートがあるが、カテーテルがアウターチューブの内凸型プレートにそれに対応するカテーテル縮径錐台があって、カテーテル縮径錐台には小直径カテーテルが接続される。2つの技術は、いずれも材料袋が移動するときに軽くなって、これによって、材料袋を制限して自由に移動できない。これにより、本発明は、従来技術に比べ、実質的な特徴と改善を持って、その実施の有益な効果も明らかになる。
【０００８】
〔図面の簡単な説明〕
図1は、本発明に係る具体的な実施形態の断面構成の一部を示す図である。
【０００９】
図では、1は、材料袋であり、2は、ガイドピンであり、3は、小直径アウターチューブであって、5は、アウターチューブ縮径錐台であり、7は、カテーテルであり、8は、アウターチューブであり、9は、アウターチューブベースであり、10は、カテーテルベースであり、11は、ガイドピンベースであり、12は、アウターチューブの内凸型プレートである。
【００１０】
〔発明を実施するための形態〕
本発明の技術特徴を明らかに説明するために、以下で２つの具体的な実施形態より、その図面を参照して、本発明を説明する。
【００１１】
第一の具体的な実施形態：
図1に示すように、本発明に係る脊椎用充填器は、カテーテル7とカテーテル7を固定するカテーテルベース10を備え、カテーテル7内腔にガイドピン2があって、当該ガイドピン2がガイドピンベース11に固定され、カテーテル7の端部に柔軟かつ生物適合性に該当する非金属材質或いは吸収可能材質で作った密封或いは通気の材料袋1があって、前記カテーテル7の外にアウターチューブ8がカバーされ、当該アウターチューブ8がアウターチューブベース9に固定され、アウターチューブベース9がねじ回しよりカテーテルベース10と着脱可能に接続して、前記アウターチューブベース8の開口端に円錐形のアウターチューブ縮径錐台5があって小直径アウター4を接続し、小直径アウターチューブ4の長さが1-10ミリメートルであって、前記カテーテル7がアウターチューブ縮径錐台5にそれに対応するカテーテル縮径錐台6を有し、カテーテル縮径錐台6には小直径カテーテル3が接続され、小直径カテーテル3の長さが1-40ミリメートルであって、本具体的な実施形態で採用された小直径アウターチューブ4の長さが3ミリメートルであって、小直径カテーテル3の長さが10ミリメートルであって、前記材料袋1が開口端からカテーテル7にカバーされて、アウターチューブ8とカテーテル7の間に位置してアウターチューブ8よりカテーテル7の外壁にしっかり締められ、前記材料袋1の長さが10-50ミリメートルであって、前記材料袋1が単層或いはその外壁に材料袋保護層を加えるものであってもよいこと、を特徴とする。
【００１２】
第二の具体的な実施形態：
図2に示すように、本発明に係る脊椎用充填器は、カテーテル7とカテーテル7を固定するカテーテルベース10を備え、カテーテル7の内腔にガイドピン2があって、当該ガイドピン2がガイドピンベース11に固定され、カテーテル7の端部に柔軟かつ生物適合性に該当する非金属材質或いは吸収可能材質で作った密封或いは通気の材料袋1があって、前記カテーテル7の外にアウターチューブ8がカバーされ、当該アウターチューブ8がアウターチューブベース9に固定され、アウターチューブベース9がねじ回しよりカテーテルベース10と着脱可能に接続して、前記アウターチューブ8の開口端にアウターチューブの内凸型プレート12があって、その長さが0.5〜10ミリメートルであって、前記カテーテル7がアウターチューブの内凸型プレート12にそれに対応するカテーテル縮径錐台6を有し、カテーテル縮径錐台6には小直径カテーテル3が接続され、小直径カテーテル3の長さが1-40ミリメートルであって、本具体的な実施形態が採用したアウターチューブの内凸型プレート12の長さが5ミリメートルであって、小直径カテーテル3の長さがが15ミリメートルであって、前記材料袋1が開口端からカテーテル7にカバーされて、アウターチューブ8とカテーテル7の間に位置してアウターチューブ8よりカテーテル7の外壁にしっかり締められ、前記材料袋1の長さが10-50ミリメートルであって、前記材料袋1が単層或いはその外壁に材料袋保護層を加えるものであってもよいこと、を特徴とする。
【図面の簡単な説明】
【００１３】
【図１】本発明に係る具体的な実施形態の断面構成の一部を示す図である。
【図２】本発明に係る具体的な実施形態の断面構成の一部を示す図である。
【図１】
0005551770.tif 000002
【図２】
0005551770.tif 000003